(57)【要約】【課題】            放射性物質を含む焼却灰を酸水溶液に混入し、放射性物質を酸水溶液中に溶出させ、この酸水溶液から放射性物質を吸着除去する方法およびシステムを提供する。【解決手段】        放射性物質を含む焼却灰を酸水溶液に混入し、焼却灰中の放射性物質を該酸水溶液中に溶出させ、この放射性物質が溶出した酸水溶液と、この溶出によって放射性物質の含量が設定基準レベル以下になった焼却灰とに分離し、  この焼却灰分離後の前記放射性物質が溶出した酸水溶液を、プルシアンブルーを付着させた布状の放射性物質吸着部材が上下に複数段に亘って設置された処理槽に、最下方に位置する布状の放射性物質吸着部材の下方より上方の放射性物質吸着部材に順次接触通過させ、処理槽の上部より排出する。【選択図】          図１
2014102238.tif 000002
【特許請求の範囲】
【請求項１】
放射性物質に汚染された可燃物の焼却灰を酸水溶液に混入し、焼却灰中の放射性物質を該酸水溶液中に溶出させ、この放射性物質が溶出した酸水溶液と、この溶出によって放射性物質の含量が設定基準レベル以下になった焼却灰とに分離し、
この焼却灰分離後の前記放射性物質が溶出した酸水溶液を、プルシアンブルーを付着させた布状の放射性物質吸着部材が上下に複数段に亘って設置された処理槽に、最下方に位置する布状の放射性物質吸着部材の下方より上方の放射性物質吸着部材に順次接触通過させ、処理槽の上部より排出することを特徴とする放射性物質を含む焼却灰の処理方法。
【請求項２】
放射性物質に汚染された可燃物の焼却灰を容器内に収容された酸水溶液に混入する焼却灰混入手段と、
前記焼却灰中の放射性物質を前記酸水溶液内で陽イオン化して溶出させ、この放射性物質が溶出した酸水溶液と、この溶出によって前記放射性物質の含量が設定基準レベル以下となった前記焼却灰とを分離する焼却灰分離手段と、
プルシアンブルーを付着させた布状の放射性物質吸着部材が上下の複数段に亘って設置された処理槽を備え、前記焼却灰分離手段で焼却灰分離後の放射性物質が溶出した酸水溶液を、処理槽の最下方に位置する布状の放射性物質吸着部材の下方より上方の放射性物質吸着部材に順次接触通過させ、処理槽の上部より排出する放射性物質吸着手段と、を備えることを特徴とする放射性物質を含む焼却灰の処理システム。
【請求項３】
前記処理槽内の布状の放射性物質吸着部材は、放射性物質を吸着した使用済み後、処理槽内より取り出し最終処分可能となっていることを特徴とする請求項２記載の放射性物質を含む焼却灰の処理システム。
【請求項４】
前記焼却灰混入手段において、前記酸水溶液容器内の酸水溶液に混入された前記焼却灰を攪拌する攪拌手段を備えることを特徴とする請求項２記載の放射性物質を含む焼却灰の処理システム。
【請求項５】
前記酸水溶液に混入した焼却灰中の放射性物質を前記酸水溶液に溶け出させる超音波発生ホーンを備えることを特徴とする請求項２記載の放射性物質を含む焼却灰の処理システム。
【発明の詳細な説明】
【技術分野】
【０００１】
本発明は、放射性物質に汚染された可燃物の焼却灰に含まれる放射性物質を、その焼却灰から分離処理する放射性物質を含む焼却灰の処理方法および処理システムに関するものである。
【背景技術】
【０００２】
一般に、家庭の排ごみ、下水の汚泥、その他の廃棄物は焼却炉で焼却し、この焼却によって発生する焼却灰は、埋立地に埋め立て処理される。ところが、この埋め立てのための土地の確保が困難になってきており、焼却灰の容積を少なくする、いわゆる焼却灰減容化のための処理方法が要望されている。また、焼却灰を処理することなくそのまま埋立地に埋め立てた場合には、焼却灰自体に含まれる重金属等の種々の有害物質が雨水、地下水等に溶出したり、焼却灰中の未燃物質が腐敗し、公害を惹き起こしたりするという不具合があった。
【０００３】
一方、震災に伴う原発事故で飛散した放射性物質に汚染された可燃物、例えば森や林の枯れ木（木材）、家庭ごみ、瓦礫などを焼却した場合には、その焼却灰にセシウム１３４、１３７などの放射性物質が濃縮状態で含まれことがある。前記可燃物は、焼却されることによって単位重量が例えば１／５０に減容化した場合には、その焼却灰における放射性物質の割合（濃度）は５０倍にも達する。
【０００４】
かかる焼却灰において放射性物質である、例えば、放射性セシウムの放射線量が８，０００Ｂｑ／ｋｇ超え１００，０００Ｂｑ／ｋｇ以下である場合には、管理型埋め立て処分が可能である。しかし、その放射線量がこの１、０００，０００Ｂｑ／Ｋｇを超える高濃度の焼却灰の処理方法については、現在のところ最適な方法が決められておらず、安全性、取り扱いなどの面で細心の注意を払いながら、今日ではドラム缶に詰めた状態で倉庫内などに保管することとしている（例えば、特許文献１参照）。
【先行技術文献】
【特許文献】
【０００５】
【特許文献１】特開２００７−０４０８７２号公報
【発明の概要】
【発明が解決しようとする課題】
【０００６】
しかしながら、焼却灰の管理保管のために焼却灰をドラム缶に詰める作業が大掛かりで危険を伴うほか、原発事故に伴う瓦礫の焼却処理量は毎日莫大な量で発生し、その焼却処理によって発生する焼却灰を詰めたドラム缶の保管場所、敷地を確保することが益々難しくなってきているという問題がある。
【０００７】
本発明は上述した問題点に着目してなされたものであり、放射性物質を含む焼却灰を、放射性物質の含量を少なく抑えた焼却灰と、高濃度の放射性物質を吸着した小容積の放射性物質吸着部材とに分離することで、その焼却灰はそのまま埋め立て処分可能にして、焼却灰専用のドラムやその保管場所、敷地を確保する必要を排除できるとともに、多量の放射性物質を含む放射性物質吸着部材は、狭小または小容積の保管場所、敷地にそのまま搬送して長期間に亘り安全に管理保管することを可能にする放射性物質を含む焼却灰の処理方法および処理システムを提供することにある。
【課題を解決するための手段】
【０００８】
前述した目的を達成するために、本発明の請求項１に係る放射性物質を含む焼却灰の処理方法は、放射性物質に汚染された可燃物の焼却灰を酸水溶液に混入し、焼却灰中の放射性物質を該酸水溶液中に溶出させ、この放射性物質が溶出した酸水溶液と、この溶出によって放射性物質の含量が設定基準レベル以下になった焼却灰とに分離し、
この焼却灰分離後の前記放射性物質が溶出した酸水溶液を、プルシアンブルーを付着させた布状の放射性物質吸着部材が上下に複数段に亘って設置された処理槽に、最下方に位置する布状の放射性物質吸着部材の下方より上方の放射性物質吸着部材に順次接触通過させ、処理槽の上部より排出することを特徴とする。
【０００９】
この構成によれば、焼却灰に含まれる放射性物質（例えば、放射性セシウム）を、酸水溶液に溶出させた後、放射性物質が溶出した酸水溶液と放射性物質が溶出してその含量が低減された焼却灰とに分離することで、その放射性物質の含量が低減した焼却灰は、水分を除去して埋め立てる、等でその後の処理が容易となる。
一方、放射性物質が溶出して含有する酸水溶液は、プルシアンブルーを付着させた布状の放射性物質吸着部材が上下に複数段に亘って設置された処理槽の、最下方に位置する布状の放射性物質吸着部材の下方より入水させるので、放射性物質が溶出して含有する酸水溶液は、最下方に位置する放射性物質吸着部材の下方より上方の放射性物質吸着部材に順次接触して通過し、処理槽の上部より排出される。これにより、この通過の過程で酸水溶液が含有する放射性物質は、プルシアンブルーを付着させた布状の放射性物質吸着部材に吸着されて除去され、処理槽から排出される酸水溶液は放射性物質が減少した浄化されたものとなる。
従って、この酸水溶液は、放射性物質が減少しているので、水道水基準値以下であれば放流できるし、また、再使用する、等でその後の処理が容易となる。また、放射性物質を吸着した使用済みの布状の放射性物質吸着部材は、最終処分工程に供することができる。この場合に、プルシアンブルーに付着した放射性物質を含む放射性物質吸着部材は体積が小さく、従ってこの放射性物質吸着部材の占有空間を小さく抑えられる。この結果、この放射性物質吸着部材の最終処分までの保管のために、広い保管面積、保管容積などの設置空間を別に用意する必要がなくなる。
【００１０】
特に、放射性物質が溶出して含有する酸水溶液は、プルシアンブルーを付着させた布状（面状）の放射性物質吸着部材を上下に複数段に亘って設置し、最下方に位置する布状の放射性物質吸着部材の下方より入水し、順次上方の放射性物質吸着部材に接触して通過させるようにしたので、放射性物質が溶出して含有する酸水溶液は、液面が上昇することにより布状（面状）の放射性物質吸着部材の全面に亘り接触、浸透することとなり、含有する放射性物質の吸着が確実になり、浄化効果が高くなる。
【００１１】
また、本発明の請求項２に係る放射性物質を含む焼却灰の処理システムは、放射性物質に汚染された可燃物の焼却灰を容器内に収容された酸水溶液に混入する焼却灰混入手段と、
前記焼却灰中の放射性物質を前記酸水溶液内で陽イオン化して溶出させ、この放射性物質が溶出した酸水溶液と、この溶出によって前記放射性物質の含量が設定基準レベル以下となった焼却灰とを分離する焼却灰分離手段と、
プルシアンブルーを付着させた布状の放射性物質吸着部材が上下の複数段に亘って設置された処理槽を備え、前記焼却灰分離手段で焼却灰分離後の放射性物質が溶出した酸水溶液を、処理槽の最下方に位置する布状の放射性物質吸着部材の下方より上方の放射性物質吸着部材に順次接触通過させ、処理槽の上部より排出する放射性物質吸着手段と、を備えることを特徴とする。
【００１２】
この構成によれば、焼却灰に含まれる放射性物質を、酸水溶液容器内の酸水溶液で陽イオン化して溶出させた後、焼却灰分離手段を用いて放射性物質を含む酸水溶液と放射性物質の含量が低減された焼却灰とを分離させることで、その放射性物質の含量が低減した焼却灰は、水分を除去して埋め立てすることができる。一方、焼却灰分離手段によって分離された、放射性物質が溶出した酸水溶液は、プルシアンブルーを付着させた複数段の放射性物質吸着部材を最下段から最上段に向けて通過させることで、この通過の過程でプルシアンブルーを付着させた布状の放射性物質吸着部材に吸着させることができ、これにより酸水溶液が含有する放射性物質を吸着し除去して浄化することができる。
【００１３】
また、本発明の請求項３にかかる放射性物質を含む焼却灰の処理システムは、前記処理槽内の布状の放射性物質吸着部材が、放射性物質を吸着した使用済み後、処理槽内より取り出し最終処分可能となっていることを特徴とする。
【００１４】
この構成により、放射性物質を吸着した後の使用済みの放射性物質吸着部材は、処理槽から取り出して（例えば、上部から吊り上げて）、最終処分工程に供することができる。例えば、処理槽から取り出した使用済みの放射性物質吸着部材は、脱水機に投入、脱水後加圧し減容する。このときの脱水された酸水溶液は浄化されているので、再利用に回し、減容化された放射性物質吸着部材は、所定の処理方針に従い処理する。
【００１５】
また、本発明の請求項４に係る放射性物質を含む焼却灰の処理システムは、前記焼却灰混入手段において、前記酸水溶液容器内の酸水溶液に混入された前記焼却灰を攪拌する攪拌手段を備えることを特徴とする。
【００１６】
この構成によれば、焼却灰を混入した酸水溶液の攪拌によって、焼却灰に含まれる放射性物質を酸水溶液に効率的に溶出させることができ、一方、焼却灰に含まれる放射性物質の量を大幅に低減でき、次工程での放射性物質を多量に含む酸水溶液からの焼却灰の分離を効率化することができる。
【００１７】
さらに、本発明の請求項５に係る放射性物質を含む焼却灰の処理システムは、前記酸水溶液に混入した焼却灰中の放射性物質を前記酸水溶液に溶け出させる超音波発生ホーンを備えることを特徴とする。
【００１８】
この構成によれば、酸水溶液中に焼却灰を混入した後に超音波発生ホーンをその酸水溶液中に挿し込むことで、超音波による酸水溶液の微細な泡の発生とこの泡の破裂（キャビテーション）によって、放射性物質の元素と酸水溶液の分子運動を活発化させ、焼却灰中の放射性物質を酸水溶液にさらに効率的に溶出させることができる。例えば、前記攪拌手段で攪拌した後の次工程で、この超音波発生ホーンを採用することで、焼却灰中の放射性物質を酸水溶液に溶出させる効果が一層向上する。
【発明の効果】
【００１９】
本発明の放射性物質を含む焼却灰の処理方法および処理システムによれば、次のような効果を奏する。
（１）焼却灰に含まれる放射性物質の含量を管理埋め立て処分が可能なレベル（１００，０００Ｂｑ／ｋｇ以下）まで低減できるので、焼却灰自体の保管のための施設が実質的に不要になる。一方、焼却灰から溶出した放射性物質を含有する酸水溶液は、プルシアンブルーを付着した布状の放射性物質吸着部材を通過させることで、放射性物質は放射性物質吸着部材に吸着されて除去され浄化される。従って、その後の処理が容易となる。例えば、含有する放射性物質（放射性セシウム）が、水道水基準値以下の場合は放流できるし、また、再利用に回す。
【００２０】
（２）放射性物質が溶出して含有する酸水溶液は、プルシアンブルーを付着させた布状（面状）の放射性物質吸着部材を上下に複数段に亘って設置し、最下方に位置する布状の放射性物質吸着部材の下方より入水し、順次上方の放射性物質吸着部材に接触して通過させるようにしたので、放射性物質が流出して含有する酸水溶液は、液面が上昇することにより布状（面状）の放射性物質吸着部材の全面に亘り接触、浸透することとなり、含有する放射性物質の吸着が確実になり、浄化効果が高くなる。
【００２１】
（３）焼却灰から分離した高濃度の放射性物質を吸着した小容積の放射性物質吸着部材は、これを吊り上げて運搬可能な形態にでき、そのまま狭小または小容積の保管場所、敷地に搬送して長期間に亘り安全に管理保管することができ、設置空間が満杯になることへ危惧を回避できる。
【００２２】
以上、本発明について簡潔に説明した。更に、以下に発明を実施するための最良の形態を添付の図面を参照して詳細に説明する。
【図面の簡単な説明】
【００２３】
【図１】本発明の実施の形態を示す放射性物質を含む焼却灰の処理システムのブロック図である。
【図２】本発明の他の実施の形態を示す放射性物質を含む焼却灰の処理システムのブロック図である。
【発明を実施するための形態】
【００２４】
以下、本発明の一実施の形態にかかる放射性物質を含む焼却灰の処理システムを、図を参照して説明する。
【００２５】
図１は、放射性物質を含む焼却灰の処理システムを概念的に示すブロック図である。この放射性物質を含む焼却灰の処理システムは、主に焼却灰混入手段１と、焼却灰分離手段２と、放射性物質吸着手段３と、を備えて構成される。
【００２６】
この焼却灰の処理システムにおいて、前記焼却灰混入手段１は、放射性物質Ｃによって汚染された可燃物の焼却灰６と、別途用意された所定ＰＨの希硝酸水溶液などの酸水溶液７とを混合するものである。例えば、予め酸水溶液７が収容された酸水溶液容器９内に、予め焼却炉から回収して容器８内に収納された前記焼却灰６を投入する。
【００２７】
かかる投入は、投入装置（図示しない）が保持する容器８を酸水溶液容器９の上部位置に搬送し、さらに傾動させることで、容器８内の焼却灰６を、その容器８の開口から酸水溶液容器９内の酸水様液２２へ投入する作業であり、この酸水溶液７と焼却灰６とを酸水溶液容器９内で混合可能にする。酸水溶液７が収容された酸水溶液容器９内への焼却灰６の投入は、ホッパーやシューターを使用してもよい。
【００２８】
焼却灰６が投入された酸水溶液７はよく攪拌して焼却灰６と十分に混合することが望ましい。本実施形態では、酸水溶液容器９内にモータＭ１によって駆動される回転軸１１に設けた複数枚の攪拌翼１２を入れて回転させ、酸水溶液７中で焼却灰６を攪拌して、この焼却灰６中の放射性物質Ｃを酸水溶液７に効率的に溶出させる。
即ち、この混合作用によって、焼却灰６は酸水溶液７中に分散し、酸水溶液７と接触することにより放射性物質が焼却灰６から分離し、溶出が促進される。ここで、モータＭ１、回転軸１１および撹拌翼１２は、攪拌手段１０を構成する。
【００２９】
このようにして攪拌翼１２で攪拌された、放射性物質Ｃの含量が低減した焼却灰６と高濃度の放射性物質Ｃを含む酸水溶液７は、ポンプ１４によって焼却灰分離手段２に送り込まれる。なお、焼却灰混入手段１における酸水溶液容器９内の酸水溶液７に含まれる放射性物質Ｃの濃度に比べ、焼却灰６から酸水溶液７に溶出した放射性物質Ｃの濃度が格段に高くなっている。
【００３０】
前記焼却灰分離手段２は、前記攪拌手段１０による焼却灰６と酸水溶液７との攪拌後における放射性物質Ｃの含量が少ない焼却灰６と放射性物質Ｃを多量に含む酸水溶液７とを分離する固液分離手段である。本実施形態では焼却灰分離手段２としてフィルタプレスが用いられる。
【００３１】
このフィルタプレスは、金属製や合成樹脂製の凹凸がある、中心に孔が空いた濾板に濾紙を張ったものを、直列に密着させたものからなる。このフィルタプレスによれば、前記攪拌後の焼却灰６と酸水溶液７とのスラリー状の攪拌、混合物をポンプで濾板の中心の孔から圧入すると、酸水溶液７のみが２枚の濾布の目から濾紙隙間を通って外へ排出され、濾板間（濾布と濾布との間）に焼却灰６のケーキＫが形成される。
【００３２】
このような焼却灰分離工程で分離された焼却灰６を固めて作られたケーキＫは、セシウム減容焼却灰であり、焼却灰分離手段２の下部からケーキシュート１５へ排出された後、さらにケーキ搬送コンベア１６に載せられて搬出される。このケーキＫは前述の通り放射性物質Ｃの含量が極めて少なく、管理埋め立て処分が可能な８００００〜１０００００Ｂｑ／ｋｇの範囲内に十分に抑えられる。なお、放射性物質Ｃが除去された焼却灰６は、マイクロ波を利用して溶融、固化させたりして、以後の取り扱い、保管、管理を容易にしてもよい。
【００３３】
一方、焼却灰分離手段２による焼却灰６の分離操作によって分離された酸水溶液７は、高濃度の放射線物質Ｃを含み、この焼却灰分離手段２の側部に設けられた廃液口（図示しない）からパイプ等を通じて容量が大きい貯留タンク１７に排出されて、ここに貯留される。また、この貯留タンク１７に貯留された高濃度の放射性物質Ｃを含む酸水溶液７は、ポンプ１８によって適量ずつ貯留タンク１７外に送り出され、前記放射性物質吸着手段３へ供給可能になっている。
【００３４】
この放射性物質吸着手段３は、液体の漏れを生じない処理槽４の上端部および下端部に酸水溶液７の導入口４ａおよび排出口４ｂを一体に有し、その処理槽４内に布状（面状）の放射性物質吸着部材５が出し入れ可能に設置されている。処理槽４は内部に導入された酸水溶液７から放射性物質Ｃが外部へ飛散するのを防止する水密構造で密閉されており、この処理槽４内には、下端部の前記導入口４ａを通して前記ポンプ１８によって酸水溶液７が送り込まれる。
【００３５】
布状の放射性物質吸着部材５は木綿布や不織布にプルシアンブルーを付着（染み込みまたは練り込み）したものである。プルシアンブルーで木綿布を着色したものでは、プルシアンブルーでセシウムなどの放射性物質を吸着させた後焼却処理することができるので、その焼却によって木綿布は除去され、放射性物質を含むプルシアンブルーのみを分離して取り出し、これを所定の方法で最終処理することができる。これにより廃棄物としての放射性物質の残量を減らすことができる。
【００３６】
一方、プルシアンブルーを練り込んだ不織布では、不織布自体の内部空隙が大きいため通水性が良好である。従って、この不織布には酸水溶液７を速やかに通過し、酸水溶液７をプルシアンブルーに速やかに接触させて、プルシアンブルーによる放射性物質Ｃの回収効率を高めることができる。
【００３７】
このプルシアンブルーを不織布等に付着した放射性物質吸着部材５は、例えば平面視で、処理槽４内部の面積に匹敵するサイズ、形状の板状体をなし、これが上下方向に複数段（図では、４段）に亘って設けられている。また、上下に隣接する各段の放射性物質吸着部材５間は空隙Ｇとなっている。
【００３８】
従って、前記導入口４ｂから処理槽４内に導入された酸水溶液７は、最下段の放射性物質吸着部材５の下方から、各段の放射性物質吸着部材５間の空隙Ｇおよび最上段の放射性物質吸着部材５を通って、前記排出口４ｂから処理槽４外へ排出される。この場合において、酸水溶液７が各段の放射性物質吸着部材５を通過する際に、その酸水溶液７に溶出されている高濃度の放射性物質Ｃが不織布等に付着しているプルシアンブルーに接触し、これに吸着される。
【００３９】
この場合において、処理槽４内には、導入口４ａから処理槽４内の下部から上部に向かって酸水溶液７が流し込まれるため、酸水溶液７の水位（液位）は処理槽４内の全域に亘って下方から上方に同一レベルで上昇し、遂には排出口４ｂから排出される。従って、各放射性物質吸着部材５の全体（全域）を酸水溶液７が通過することとなり、酸水溶液７とプリシアンブルーとの接触効率が最大限に維持される。
【００４０】
このプルシアンブルーはこれのマイナスイオンの格子に酸水溶液７中の放射性物質Ｃを化学的に補足する機能を有する。また、このプルシアンブルーは鉄のフェロシアン化合物であり、食品を製造するときに使用する水や飲料水などを濾過することで定量的に放射性物質Ｃとしての放射性セシウムを吸着除去する場合などに広く用いられている。
【００４１】
また、前記放射性物質Ｃをプルシアンブルーに吸着させて処理槽４の排出口４ｂから排出された酸水溶液７は、少しの放射性物質Ｃを含むものの、例えば、次に焼却灰６を混入する酸水溶液７を収容するための酸水溶液容器９に送られて、再利用される。放射性物質が減容され、水道水基準値以下の場合は、放流してもよい。
【００４２】
次に、他の実施の形態に係る放射性物質を含む焼却灰の処理システムを、図２について説明する。図２は、他の実施の形態を示す放射性物質を含む焼却灰の処理システムのブロック図である。
【００４３】
この実施の形態は、前記攪拌手段１０の次に、超音波発生ホーン１３の放射性物質溶出促進手段を設けたこと、および処理槽４の構成を異にした以外は、前記図１に示す実施の形態と同様であるので、前記図１に示す実施の形態と同様な構成要素には、同一符号を付して他の詳細な説明は省略する。
【００４４】
超音波発生ホーン１３は、酸水溶液７内に微振動や気泡を発生させると共にこの気泡を破裂させ、これにより酸水溶液７と放射性物質ｃの分子運動を活性化し、焼却灰６からの放射性物質ｃの溶出を促進させ、この結果、焼却灰６から酸水溶液７への放射性物質ｃの移動が効率的に行える。従って、この実施の形態では、攪拌手段１０の撹拌混合と、この超音波発生ホーン１３との相乗効果が期待できる。
【００４５】
また、この実施の形態の処理槽４は、酸水溶液７の導入口４ａを上部に設け、この導入口４ａに連通する処理槽４内を隔壁１９により区画した通路２０とし、隔壁１９の下部を下部開口１９ａとし、導入口４ａから流入した酸水溶液７は、通路２０を通り下部開口１９ａから処理槽４内に入水する構成としている。この構成によっても流入した酸水溶液７は、最下段の放射性物質吸着部材５の下方から進入することになる。本例によれば、処理槽４に設ける導入口４ａの位置を適宜変更できるので好ましい。
【００４６】
このように本実施形態の放射性物質Ｃを含む焼却灰の処理システムは、焼却灰混入手段１により放射性物質Ｃに汚染された可燃物の焼却灰６を酸水溶液容器９内に収容された酸水溶液７に混入し、前記焼却灰６中の放射性物質Ｃを前記酸水溶液７内で陽イオン化して溶出させ、この放射性物質Ｃが溶出した酸水溶液７と、この溶出によって前記放射性物質Ｃの含量が設定基準レベル以下となった前記焼却灰６とを焼却灰分離手段２で分離し、プルシアンブルーを付着させた放射性物質吸着部材５を上下の複数段に亘って処理槽４内に設置し、この処理槽４の下端部の導入口４ａから導入した前記焼却灰分離後の前記放射性物質Ｃが溶け込んだ酸水溶液７を、放射性物質吸着部材５に通過させ、この放射性物質吸着部材５に放射性物質Ｃを吸着させた後の酸水溶液７を処理槽４の上端部の排出口４ｂから酸水溶液容器９へ導出可能にし、放射性物質Ｃを吸着した放射性物質吸着部材５を処理槽４から分離して最終処分可能にする構成としている。
【００４７】
従って、焼却灰６に含まれる放射性物質Ｃを、酸水溶液容器９内の酸水溶液７で陽イオン化して溶出させた後、焼却灰分離手段２を用いて放射性物質Ｃを含む酸水溶液７と焼却灰６とを分離させることで、放射性物質Ｃの含量が低減された焼却灰６は、水分を除去して埋め立て可能になる。一方、分離した放射性物質Ｃが溶出した酸水溶液７は、プルシアンブルーを付着させた複数段の放射性物質吸着部材５の最下段から最上段に向けて通過し、この通過の過程でプルシアンブルーに放射性物質Ｃを吸着させることで、プルシアンブルーに吸着させた放射性物質Ｃを放射性物質吸着部材５ごと最終処分工程に供することができる。この場合に、プルシアンブルーに付着した放射性物質Ｃを含む放射性物質吸着部材５は体積が小さく、占有空間が小さく抑えられるため、最終処分までの保管のために広い保管面積、保管容積の設置空間を用意する必要がなくなる。
【産業上の利用可能性】
【００４８】
本発明の放射性物質を含む焼却灰の処理方法および処理システムは、焼却灰に含まれる放射性物質の含量を管理埋め立て処分が可能なレベルまで低減できるので、焼却灰自体の保管のための施設が実質的に不要になり、一方、焼却灰から分離した高濃度の放射性物質を吸着した小容積の放射性物質吸着部材は、これを吊り上げて運搬可能な形態にでき、そのまま狭小または小容積の保管場所、敷地にそのまま搬送して長期間に亘り安全に管理保管することができるという効果を有し、可燃物の焼却灰に含まれる放射性物質を、その焼却灰から分離処理する焼却灰の処理システム等に有用である。
【符号の説明】
【００４９】
１  焼却灰混入手段
２  焼却灰分離手段
３  放射性物質吸着手段
４  処理槽
５  布状の放射性物質吸着部材
６  焼却灰
７  酸水溶液
８  容器
９  酸水溶液容器
１０  攪拌手段
１１  回転軸
１２  攪拌翼
１３  超音波発生ホーン
１４、１８  ポンプ
１５  ケーキシュート
１６  ケーキ搬送コンベア
１７  貯留タンク
Ｃ  放射性物質
Ｋ  ケーキ
Ｇ  空隙
【図１】
2014102238.tif 000003
【図２】
2014102238.tif 000004